(57)【特許請求の範囲】
【請求項１】
固定脚部材と、固定脚部材に固定可能な管保持部材と、から構成され、寒冷地の住宅の床下や天井裏の空間において比較的小口径の給水給湯配管の固定に使用される配管固定金具であって、前記固定脚部材が、板状本体部および該板状本体部の下端部を約半分の幅で前後に振り分けて９０度に折り曲げて形成された一対の脚部からなり、各脚部にそれぞれ固定穴が形成される一方、板状本体部に管保持部材をねじ固定するための複数個の取付穴が高さ方向に等間隔で、かつ、隣接する取付穴が部分的に連続して形成され、該固定脚部材の取付穴の間隔が、固定する配管の水抜き勾配確保のために推奨される支持間隔の１／１００であることを特徴とする配管固定金具。
【発明の詳細な説明】
【技術分野】
【０００１】
この発明は、配管を一定の勾配で固定するための配管固定金具に関するものである。
【背景技術】
【０００２】
一般に、寒冷地の戸建て住宅においては、冬季に配管内に残留する水が凍結して配管が破損するのを防止するため、給水給湯配管には、その途中に配管内に残留する水を外部に排水するための水抜き栓が配設されている。そして、水栓器具末端から水抜き栓に至る配管は、水抜き栓を開放した際に、管内に残留する水が排水されるように、水抜き栓に向かって下り勾配（水抜き勾配）で敷設されている。したがって、水栓器具末端から水抜き栓に至る配管は、その敷設方向の任意の位置において、高さを変えて固定する必要がある。
【０００３】
このような水抜き勾配を考慮して高さを変えて配管を固定可能な固定金具としては、一対のボルトを連結したベースをアンカーを介して床下に固定し、一対のボルトにわたって上下方向に摺動自在に嵌挿された支持バンドおよび固定バンドによって配管を挟持し、さらに、支持バンドおよび固定バンドの上下をボルトにねじ込んだ一対のロックナットで固定するものが提案されている（例えば、特許文献１参照）。
【０００４】
また、任意の個数の高さ調整部材を嵌合して高さを調整し、高さ調整部材に配管固定部材を装着するものも知られている（例えば、特許文献２参照）。
【特許文献１】特開２００３−１５６１７９号公報（図１１）
【特許文献２】特開２００５−１３３８８２号公報
【発明の開示】
【発明が解決しようとする課題】
【０００５】
しかしながら、前者の固定金具にあっては、高さ調整および配管の固定に際して合計４個のロックナットを回転操作する必要があり、作業に時間がかかるとともに、作業が煩雑になるという欠点がある。また、固定強度は高いものの、部品点数が多く、コストもかさむため、外径が４０ｍｍ以上の比較的管径が大きく、自重を有する配管の固定に使用され、軽量な小口径管には使用されていない。
【０００６】
また、後者の固定金具にあっては、高さの調整を容易に行なうことができるとともに、高さの精度を確保することができるものの、任意の高さに調整するためには、厚みの異なる高さ調整部材を用意する必要があり、コストアップを招くものとなる。
【０００７】
本発明は、このような問題点に鑑みてなされたもので、配管を一定の勾配で簡単確実に固定するとともに、固定された配管の高さ調整の精度を向上させることのできる安価な配管固定金具を提供するものである。
【課題を解決するための手段】
【０００８】
本発明は、固定脚部材と、固定脚部材に固定可能な管保持部材と、から構成され、寒冷地の住宅の床下や天井裏の空間において比較的小口径の給水給湯配管の固定に使用される配管固定金具であって、前記固定脚部材が、板状本体部および該板状本体部の下端部を約半分の幅で前後に振り分けて９０度に折り曲げて形成された一対の脚部からなり、各脚部にそれぞれ固定穴が形成される一方、板状本体部に管保持部材をねじ固定するための複数個の取付穴が高さ方向に等間隔で、かつ、隣接する取付穴が部分的に連続して形成され、該固定脚部材の取付穴の間隔が、固定する配管の水抜き勾配確保のために推奨される支持間隔の１／１００であることを特徴とするものである。
【０００９】
本発明によれば、設定間隔をおいて配管固定金具を床下などに固定するとともに、固定脚部材の取付穴を順次１個ずつ下げて、あるいは、上げて管保持部材を固定脚部材に固定し、さらに、前後の管保持部材にわたって配管を配置し、管保持部材によって配管を固定するといった簡単な作業により、配管を一定の下り勾配あるいは上り勾配で、具体的には、１／１００の水抜き勾配で簡単に、かつ、確実に敷設することができる。しかも、単一の配管固定金具によって複数の固定高さに対応することができ、安価となる。さらに、固定脚部材の隣接する取付穴が部分的に連続することにより、管保持部材のボルト軸部の径によっても複数個の取付穴を必要とする等間隔をおいて形成することが可能となる。
【００１０】
本発明の複数個の取付穴としては、３個以上１５個以下が好ましい。すなわち、比較的小口径の給水給湯配管の場合、支持間隔を１ｍと仮定すると、１辺が１５ｍ強の空間においても、同一の配管固定金具を使用して１５種類の固定高さに対応することができ、戸建て住宅の給水給湯配管をほぼ単一種類の配管固定金具で施工することが可能となる。
【発明の効果】
【００１２】
本発明によれば、配管を一定の勾配で簡単確実に固定することができるとともに、固定された配管の高さ調整の精度を向上させることができる。
【発明を実施するための最良の形態】
【００１３】
以下、本発明の実施の形態を図面に基づいて説明する。
【００１４】
図１乃至図３には、本発明の配管固定金具１の一実施形態が示されている。
【００１５】
この配管固定金具１は、床下面や天井裏面などに固定可能な固定脚部材２と、配管を保持して固定脚部材２にねじ固定可能な管保持部材３と、から構成されている。
【００１６】
固定脚部材２は、板状本体部２１および該板状本体部２１の下端部を約半分の幅で前後に振り分けて９０度に折り曲げることによって形成された一対の脚部２２からなり、各脚部２２には、それぞれ固定穴２２ａが形成されてアンカーなどを利用して固定することができる。そして、板状本体部２１には、後述する管保持部材３のボルト軸部３３を挿通するための複数個、具体的には９個の取付穴２１ａが高さ方向に等間隔に形成されている。
【００１７】
管保持部材３は、取付本体部３１と、取付本体部３１の一端から延設された可動腕部３２と、取付本体部３１の、可動腕部３２の延設方向とは反対側の外側面に設けられたボルト軸部３３と、からなり、取付本体部３１の内面には配管の外周面に沿う円筒面形状の支持部３１１が形成されている。
【００１８】
可動腕部３２は、弾性を有し、その弾性を利用して、取付本体部３１との接続部を支点として撓ませることができる。そして、可動腕部３２は、配管の外周面を包囲し得る薄板帯状に形成されるとともに、内周面は、配管の外周面に沿うように略円筒面状に形成されている。また、可動腕部３２の基部には、取付本体部３１の支持部３１１に連続する円筒面を形成するように分岐部３２３が延設されている。さらに、可動腕部３２の外面側先端部には、可動腕部３２を配管の外周面に沿わせて仮固定するための係止爪３２１と、本固定するための係止爪３２２とが並設されている。
【００１９】
これらの係止爪３２１，３２２に対応して、取付本体部３１の、可動腕部３２が延出された側とは反対側の端部には、被係止部３１２が形成されている。この被係止部３１２は、取付本体部３１の外側面および内側面を貫通する開口３１２ａの内面に受け爪３１２ｂを設けて構成されている。この被係止部３１２の開口３１２ａは、可動腕部３２の挿通を許容し得る大きさに形成され、また、受け爪３１２ｂには、可動腕部３２の係止爪３２１，３２２が係止し得るようになっている。
【００２０】
一方、取付本体部３１の外側面に設けられたボルト軸部３３と、該ボルト軸部３３に螺合可能なナット４によって固定手段が構成されており、ボルト軸部３３が固定脚部材２の取付穴２１ａに挿入されて、そのボルト軸部３３にナット４をねじ込むことにより、固定脚部材２の任意の高さ位置の取付穴２１ａに管保持部材３を固定することができる。
【００２１】
次に、このように構成された配管固定金具１を利用して配管を固定する要領について説明する。
【００２２】
まず、使用する配管の口径に対応して、推奨される間隔をおいて固定脚部材２を床面などに固定する。次いで、水栓器具に近接して立設された固定脚部材２の最上の取付穴２１ａに管保持部材３のボルト軸部３３を挿入した後、そのボルト軸部３３にナット４をねじ込み、管保持部材３を固定脚部材２に固定する。以下、水抜き栓に向かうにしたがって固定脚部材２の取付穴２１ａについて、１個ずつ下方の取付穴２１ａを選択し、同様に、管保持部材３のボルト軸部３３を挿入した後、そのボルト軸部３３にナット４をねじ込み、管保持部材３を固定脚部材２に固定する。
【００２３】
各固定脚部材２に管保持部材３を固定したならば、各管保持部材３の可動腕部３２にわたって配管を挿入して配置し、配管を包み込むように可動腕部３２を撓ませて、その係止爪３２１を被係止部３１２の受け爪３１２ｂに係止し、配管を仮固定する。次いで、仮固定した配管の取付位置を軸方向に微調整した後、さらに可動腕部３２を被係止部３１２に向けて押し込み、係止爪３２２を受け爪３１２ｂに係止させて配管を本固定する。これにより、配管は、可動腕部３２に包囲されて支持されるとともに固定されることから、水栓器具から水抜き栓にかけて水抜き栓に向かって下り勾配（水抜き勾配）で敷設され、水抜き栓を開放した際に、配管内に残留する水を外部に排出することができる。
【００２４】
具体的には、戸建て住宅に使用される架橋ポリエチレン管の場合、その支持間隔は１ｍであるため、管保持部材３のボルト軸部３３を挿通するための取付穴２１ａのピッチは、支持間隔１ｍの１／１００である１０ｍｍが好ましい。したがって、配管は、配管固定金具１によって１ｍ間隔で支持されるとともに、固定脚部材２の取付穴２１ａを１個ずつ下げて、すなわち、１０ｍｍずつ下げて管保持部材３が固定されることにより、１／１００の水抜き勾配で配管が敷設される。
【００２５】
なお、図１乃至図３においては、ボルト軸部３３の外径は１４ｍｍであり、取付穴２１ａの穴径をボルト軸部３３の外径よりも若干大きくして容易に挿通することができるようにしているため、隣接する取付穴２１ａが部分的に連続することになるが、それぞれの取付穴２１ａにおいてボルト軸部３３を落下しないように保持することができる。
【００２６】
なお、前述した実施形態においては、ボルト軸部３３の外径に対応して、固定脚部材２の板状本体部２１に複数個の取付穴２１ａを設定された等間隔で形成した場合、隣接する取付穴２１ａが部分的に連続する場合を例示したが、ボルト軸部３３の外径が小さい場合、例えば、外径が８ｍｍの場合、図４に示すように、取付穴２１ａは、部分的に連続することなく各別に形成される。
【００２７】
また、固定脚部材２の脚部２２については、図５に示すように、板状本体部とは別体の板状脚部で形成し、板状本体部と板状脚部を溶着して固定脚部材としてもよい。
【産業上の利用可能性】
【００２８】
以上のように本発明によれば、単一の配管固定を利用して簡単に配管を一定の勾配で確実に敷設することができることから、給水給湯配管の敷設作業を効率よく行なうことが可能となる。
【図面の簡単な説明】
【００２９】
【図１】本発明の配管固定金具の一実施形態を示す斜視図である。
【図２】図１の配管固定金具を構成する固定脚部材を示す斜視図である。
【図３】図１の配管固定金具を構成する管保持部材を示す斜視図である。
【図４】固定脚部材の変形例を示す斜視図である。
【図５】固定脚部材のもう一つの変形例を示す斜視図である。
【符号の説明】
【００３０】
１  配管固定金具
２  固定脚部材
２１  板状本体部
２１ａ  取付穴
２２  脚部
３  管保持部材
３１  取付本体部
３１２ｂ  受け爪
３２  可動腕部
３２１，３２２  係止爪
３３  ボルト軸部
４  ナット
【図１】
0004820159.tif 000002
【図２】
0004820159.tif 000003
【図３】
0004820159.tif 000004
【図４】
0004820159.tif 000005
【図５】
0004820159.tif 000006